(57)【要約】【課題】点状光源からの漏れ光を導光板の入光面に効率良く入射させ、かつ、均一性を損なうことなく輝度を向上させることが可能な面状照明装置を提供すること。【解決手段】本発明に係る面状照明装置１０は、側端部に入光面１２ａ、１２ｂを有する導光板１１と、導光板１１の入光面１２ａ、１２ｂに配置された点状光源１６ａ、１６ｂとを備える面状照明装置において、導光板１１の少なくとも一方の主面側（例えば、表面１３）から点状光源１６ａ、１６ｂを覆う反射手段２１を備え、反射手段２１は、入光面に対して傾斜する反射面を有している。これによって、点状光源１６ａ、１６ｂから導光板１１の主面１３方向に漏出する光の多くを入光面１２ａ、１２ｂ方向に反射することができ、面状照明装置の輝度を均一に向上させることができる。【選択図】図１
2008047291.tif 000002
【特許請求の範囲】
【請求項１】
側端部に入光面を有する導光板と、該導光板の前記入光面に配置された点状光源とを備える面状照明装置において、
前記導光板の少なくとも一方の主面側から前記点状光源を覆う反射手段を備え、該反射手段は、前記入光面に対して傾斜する反射面を有していることを特徴とする面状照明装置。
【請求項２】
前記導光板の入光面の厚みは前記点状光源の厚みよりも大きく、前記反射面は、前記導光板と前記点状光源との段差に従って傾斜することを特徴とする請求項１に記載の面状照明装置。
【請求項３】
前記導光板の前記点状光源が配置される側端部は、傾斜面と該傾斜面に形成されて前記点状光源が収容される貫通孔とを備え、前記反射手段は、当該傾斜面に沿って配置されることを特徴とする請求項１または２に記載の面状照明装置。
【請求項４】
前記導光板と前記点状光源とを保持するハウジングフレームをさらに備え、
前記ハウジングフレームの前記点状光源が配置される側端部は傾斜面をなし、前記反射手段は、当該傾斜面に沿って配置されることを特徴とする請求項１から３のいずれか１つに記載の面状照明装置。
【請求項５】
前記反射手段は、前記入光面に対して傾斜する反射面を備えたプリズムであることを特徴とする請求項１または２に記載の面状照明装置。
【請求項６】
前記プリズムの前記反射面には、反射膜が形成されていることを特徴とする請求項５に記載の面状照明装置。
【発明の詳細な説明】
【技術分野】
【０００１】
本発明は、サイドライト方式の面状照明装置に関し、特に、液晶表示装置の照明手段として用いられる面状照明装置に関するものである。
【背景技術】
【０００２】
今日の電子機器の表示手段等には液晶表示装置が広く用いられているが、この液晶表示装置は自発光型ではないことから、夜間や暗所での視認性を確保するための照明手段が必要となる。従来、このような照明手段として面状照明装置があり、その一形態として、サイドライト方式の面状照明装置が広く用いられている。サイドライト方式の面状照明装置は、透光性を有する導光板と、導光板の側端部に配置された光源を基本要素として構成されており、近年、携帯電話等の小型の電子機器への応用のために、小型化および省電力化の容易な発光ダイオード（ＬＥＤ）等の点状光源がその光源として多用されている。
【０００３】
一般に、ＬＥＤは、その発光面から特定の指向性を有して光を出射するものである一方、発光面とは異なる側面からパッケージまたは封止材を通って漏出する光も存在する。したがって、上述したような面状照明装置は、ＬＥＤをその発光面が導光板の入光面に対向するように配置すると共に、漏れ光の面状照明装置外への漏出を防止し、また、この漏れ光を導光板に入光させて面状照明装置の輝度を向上させるために、通常、光反射性の部材によりＬＥＤの周囲の少なくとも一部を覆うように構成されている（例えば、特許文献１参照）。
【０００４】
図６は、特許文献１に記載の面状照明装置を示す分解斜視図である。この面状照明装置には、導光板１４００と、基板と基板上に実装された白色ＬＥＤからなる白色ＬＥＤ光源１１００とが含まれる。図示された態様では、各白色ＬＥＤは基板への実装面とは反対側の頂面を発光面とするタイプのＬＥＤであり、白色ＬＥＤ光源１１００は、各白色ＬＥＤの発光面が導光板１４００の入光面１４０３に対向するように配置されている。この面状照明装置は、入光面１４０３から導光板１４００に入射した光を表面１４０１から均一に出射することにより、表面１４０１側に配置された液晶パネル等を照明するものである。ここで、白色ＬＥＤ光源１１００の周囲には、コの字状のリフレクタ１６００が配置され、これによって、各白色ＬＥＤからの漏れ光の有効利用が図られている。
【特許文献１】特開２００２−７５０３８号公報（図１）
【発明の開示】
【発明が解決しようとする課題】
【０００５】
しかしながら、図６に示した面状照明装置では、リフレクタ１６００がコの字状であり、導光板１４００の表面１４０１側及び裏面１４０２側の反射面１６０１、１６０２は、導光板１４００の入光面１４０３に対して略垂直に配置されることになる。図７には、白色ＬＥＤ光源１１００付近を拡大して示す側面図として、この配置構成が示されている。このような面状照明装置では、例えば、白色ＬＥＤの側面Ａから導光板１４００の入光面１４０３に対して略平行な方向に漏出する漏れ光の多くは、リフレクタ１６００の反射面１６０１によって再び白色ＬＥＤ光源１１００方向に反射されて入光面１４０１に到達することなく減衰してしまうため、光量の損失となるという問題があった。また、反射面１６０１によって反射された後、入光面１４０３に到達する漏れ光は存在するものの、その入光面１４０１への入射角は非常に大きい（入光面１４０３に対して平行に近い）ため、入射した光は、図７に模式的に示すような光路Ｐを経て、入光面１４０３付近から出射されることになる。したがって、このような漏れ光が面状照明装置の全体的な輝度の向上に寄与することはなく、かえって、入光面付近においてＬＥＤの前方のみが局所的に明るくなること（いわゆるホットスポット）により輝度の均一性を損なうことの要因となっていた。
【０００６】
この漏れ光の問題は、近年、ＬＥＤの小型化のためにそのパッケージが薄肉化する傾向にあることから、面状照明装置の高輝度化のために無視し得ない問題となってきている。特に、発光素子を透明または半透明の樹脂で封止するのみで周囲にパッケージを備えていないタイプのＬＥＤを使用する場合には、漏れ光の光量自体が増大すること、及び、漏れ光がパッケージによって散乱されることがないため、より多くの光が入光面に対して略平行な方向に漏出することなどにより、入光面付近の輝度の均一性が著しく損なわれるという問題があった。
【０００７】
本発明は、上記課題に鑑みてなされたものであり、点状光源からの漏れ光を導光板の入光面に効率良く入射させ、かつ、均一性を損なうことなく輝度を向上させることが可能な面状照明装置を提供することを目的とする。
【課題を解決するための手段】
【０００８】
上記課題を解決するため、本発明に係る面状照明装置は、側端部に入光面を有する導光板と、該導光板の前記入光面に配置された点状光源とを備える面状照明装置において、前記導光板の少なくとも一方の主面側から前記点状光源を覆う反射手段を備え、該反射手段は、前記入光面に対して傾斜する反射面を有していることを特徴とする。
【０００９】
また、前記導光板の入光面の厚みは前記点状光源の厚みよりも大きく、前記反射面は、前記導光板と前記点状光源との段差に従って傾斜することを特徴とする。
【００１０】
また、前記導光板の前記点状光源が配置される側端部は、傾斜面と該傾斜面に形成されて前記点状光源が収容される貫通孔とを備え、前記反射手段は、当該傾斜面に沿って配置されることを特徴とする。
【００１１】
また、本発明の一態様として、本発明に係る面状照明装置は、前記導光板と前記点状光源とを保持するハウジングフレームをさらに備え、前記ハウジングフレームの前記点状光源が配置される側端部は傾斜面をなし、前記反射手段は、当該傾斜面に沿って配置されることを特徴とする。
【００１２】
また、本発明の一態様として、前記反射手段は、前記入光面に対して傾斜する反射面を備えたプリズムであることを特徴とする。さらに、前記プリズムの前記反射面には、反射膜が形成されていることを特徴とする。
【発明の効果】
【００１３】
本発明に係る面状照明装置によれば、導光板の少なくとも一方の主面側から点状光源を覆う反射手段が、入光面に対して傾斜する反射面を有しているため、点状光源から導光板の主面方向に漏出する光の多くを入光面方向に反射することができ、それによって、導光板に入射する漏れ光の光量を増大させて面状照明装置の輝度を向上させることが可能となる。また、この反射面からの反射光は、比較的小さな入射角で入光面に入射するため、導光板からの出射位置が入光面付近のみに集中することなく、面状照明装置の輝度を均一に向上させることが可能となる。このような輝度の向上及び輝度ムラの改善の効果は、パッケージを有しないタイプのＬＥＤを光源として使用する場合に特に顕著であり、本発明に係る面状装置では、量産性及び小型化の観点から有利なこのタイプのＬＥＤを好適に使用することができるため、面状照明装置の更なる小型・薄型化及びコストの低減が可能となる。
【００１４】
また、本発明に係る面状照明装置によれば、反射面の傾斜は、入光面と点状光源との厚みの段差に従って形成されるため、面状照明装置の薄さを維持しながら漏れ光の効率的な反射を実施することが可能となる。
【００１５】
また、本発明に係る面状照明装置によれば、導光板またはハウジングフレームに設けられた傾斜面に沿って反射手段を配置するため、従来の面状照明装置に対して追加的な構成要素及び組立て手順等を要することなく、漏れ光の効率的な反射を実施することが可能となる。
【００１６】
さらに、反射手段をプリズムとすることによって、プリズムの内部全反射によって、高効率に漏れ光を反射することが可能となる。その際、反射面に反射膜を形成することによって、反射面に対する入射角が内部全反射の臨界角よりも小さな入射光の反射効率を向上させることができる。
【発明を実施するための最良の形態】
【００１７】
以下、本発明の実施の形態を添付図面に基づいて説明する。図１は、本発明の第１の実施形態における面状照明装置１０の要部を示す図であり、図１（ａ）は、分解斜視図、図１（ｂ）は、その光源部分を拡大して示す側断面図である。図１に示す面状照明装置１０は、導光板１１と、点状光源１６ａ、１６ｂと、反射手段２１とを含んで構成されている。導光板１１は、例えばアクリル樹脂やポリカーボネート樹脂等の透明樹脂を成形してなる板状の導光体であり、一方の主面（以下、表面と称する）１３を光出射面とし、もう一方の主面（以下、裏面と称する）１４を反射面として、後述する側端部の入光面から入射した光を、対向する側端部へと導きつつ表面１３から均一に出射するものである。
【００１８】
本実施形態において、導光板１１は、その一側端部に表面１３に対して鈍角に傾斜する傾斜面１５が設けられ、傾斜面１５には点状光源１６ａ、１６ｂを収容するための貫通孔２０ａ、２０ｂが形成されている。貫通孔２０ａ、２０ｂは、表面１３と傾斜面１５の交差位置から表面１３に対して略垂直に形成された内壁１２ａ、１２ｂを有しており、本実施形態では、この内壁１２ａ、１２ｂを入光面として使用するものである。このような構成によって、傾斜面１５は、入光面１２ａ、１２ｂに対して鋭角に傾斜することになる。なお、いずれの図面においても入光面１２ａ、１２ｂが平面として示されているが、入光面１２ａ、１２ｂにプリズムまたは凹部等からなる公知の入光手段が形成されていてもよい。
【００１９】
また、点状光源１６ａ、１６ｂは、その前面１７ａ、１７ｂを発光面とする白色ＬＥＤからなり、好ましくはフレキシブルプリント基板（ＦＰＣ）である基板１９上に実装されて、発光面１７ａ、１７ｂが入光面１２ａ、１２ｂに対向するように導光板１１の貫通孔２０ａ、２０ｂに収容される。この際、図１（ｂ）に示すように、導光板１１の厚みｈ１は、点状光源１６ａ、１６ｂの厚み（本実施形態では、基板１９上の実装高さ）ｈ２よりも大きく、導光板１１の傾斜面１５は、点状光源１６ａ、１６ｂが貫通孔２０ａ、２０ｂに収容されて所定の位置に配置されたときに、傾斜面１５から突出する部分がないように形成されている。
【００２０】
本実施形態において、シート状の正反射部材である反射手段２１は、導光板１１の表面１３側から、少なくとも貫通孔２０ａ、２０ｂの開口部分を覆うように傾斜面１５に沿って配置されて、例えば接着または粘着等の手段によって傾斜面１５上に固定される。シート状の反射手段２１をこのように配置することによって、点状光源１６ａ、１６ｂは、導光板１１の表面１３側から入光面１２ａ、１２ｂに対して鋭角に傾斜する反射面によって覆われることになる。
【００２１】
本実施形態における面状照明装置１０では、反射手段２１は、入光面１２ａ、１２ｂに対して鋭角に傾斜しているため、点状光源１６ａ、１６ｂからその頂面１８ａ、１８ｂを通じて導光板の表面１３方向に漏出し、反射手段２１によって反射されて入光面１２ａ、１２ｂに到達する漏れ光の光量を増大させることができる。特に、頂面１８ａ、１８ｂから入光面１２ａ、１２ｂに対して略平行に漏出した漏れ光でも、図１（ｂ）に模式的に示す光路Ｐ１、Ｐ２のように、比較的小さな入射角で入光面１２ａ、１２ｂに入射して導光板１１の内部へと伝播することになり、漏れ光によるホットスポットの発生が抑制または解消される。
【００２２】
ここで、本実施形態の構成及び作用を具体例に基づいて説明する。
入光面１２ａ、１２ｂと傾斜面１５とのなす角度（すなわち、入光面１２ａ、１２ｂと反射手段２１とのなす角度）αは、導光板１１の厚みｈ１と点状光源の厚みｈ２との差Δｈ＝ｈ１−ｈ２と、点状光源１６ａ、１６ｂの前後方向の幅ｗに応じて決定され、上述したように、傾斜面１５から点状光源１６ａ、１６ｂを突出させないためには、傾斜面１５と入光面との間の角度αを、α≧ｔａｎ-1（ｗ／Δｈ）とすればよい。ただし、望ましくは、α＝ｔａｎ-1（ｗ／Δｈ）として、図１（ｂ）に示すように、傾斜面１５を、導光板１１と導光板１１の入光面１２ａ、１２ｂに配置された点状光源１６ａ、１６ｂとで形成される段差に従って傾斜させるものである。
例えば、ｈ１＝０．８ｍｍ、ｈ２＝０．６ｍｍ、ｗ＝０．４５ｍｍの条件では、αを約６６度とすることができ、この場合、入光面１２ａ、１２ｂに対して平行な方向に漏出した漏れ光を、反射により約４２度の入射角でもって入光面１２ａ、１２ｂに入射させることができる。また、点状光源１６ａ、１６ｂの厚みｈ２は０．４ｍｍ程度にまで低背化することが可能であり、この場合には、ｈ１及びｗは上記の場合と同一として、αを約４８度とすることができる。このとき、上記入射角は約６度であり、入光面１２ａ、１２ｂに対して平行な方向に漏出した漏れ光を、反射により入光面１２ａ、１２ｂに対してほぼ垂直に入射させることができる。
【００２３】
なお、本実施形態における反射手段２１は、上述したように、好ましくは正反射手段であり、具体的には、銀等の金属を蒸着したフィルム、鏡面加工を施したアルミ板等の金属板、あるいは、ポリマー薄膜の多層構造からなる反射層を備えたフィルムなどを使用することができるが、例えば発泡または白色顔料の分散等によって樹脂基材を白色化した白色フィルムなどの拡散反射手段を使用するものであってもよい。また、反射手段２１の、点状光源２１に対向する面と反対側の面には、必要に応じて遮光処理が施されていてもよい。
【００２４】
以下、図２〜図４を参照して、本発明に係る面状照明装置の他の実施形態を説明するが、各実施形態の説明を通じて、同一の部分には同一の符号を付し、共通する部分についての説明は適宜省略して各実施形態における相違点について詳述する。
図２は、本発明の第２の実施形態における面状照明装置３０の要部を示す図であり、図２（ａ）は分解斜視図、図２（ｂ）はその光源部を拡大して示す側面図である。図２に示す面状照明装置３０は、導光板３１と、点状光源１６ａ、１６ｂと、反射手段２１と、ハウジングフレーム３５とを含んで構成される。ハウジングフレーム３５は、導光板３１、点状光源１６ａ、１６ｂ、反射手段２１等の面状照明装置を構成する各構成要素を一体に保持する枠状部材であり、例えば酸化チタン等の白色顔料を混入したポリカーボネート樹脂等により成形されてなるものである。
【００２５】
本実施形態において、導光板３１は、少なくともその一側端部に表面３３に対して略垂直な側端面３２を有し、ハウジングフレーム３５の所定の位置に収容されて、この側端面３２が入光面として使用される。また、点状光源１６ａ、１６ｂは、上述した第１の実施形態と同様に、基板１９上に実装されて、その前面である発光面１７ａ、１７ｂが導光板３１の入光面３２に対向するように、ハウジングフレーム３５の一側端部に収容される。ハウジングフレーム３５の点状光源１６ａ、１６ｂが収容される側の側端部には、所定の位置に配置固定された導光板３１の表面３３側から、その入光面３２に対して上記第１の実施形態と同様の条件を満たす傾斜角αをもって傾斜する傾斜面３６が形成されている。本実施形態では、反射手段２１は、この傾斜面３６に沿って配置されて、図２（ｂ）の光路Ｐ１、Ｐ２に示すように、上述した第１の実施形態と同様の作用・効果を得るものである。
【００２６】
なお、本発明において、反射手段２１を配置する傾斜面を設ける部材は、導光板またはハウジングフレームのいずれか一方に限定されるものではなく、上述した第１の実施形態において導光板１１の形状に応じたハウジングフレームを備え、そのハウジングフレームは、本実施形態におけるハウジングフレーム３５と同様な傾斜面を備えていてもよい。
【００２７】
図３は、本発明の第３の実施形態における面状照明装置４０の要部を示す図であり、図３（ａ）は、分解斜視図、図３（ｂ）はその光源部分のみを拡大して示す側断面図である。本実施形態における面状照明装置４０は、導光板３１と、点状光源１６ａ、１６ｂと、反射手段４１ａ、４１ｂとを含んで構成される。
【００２８】
ここで、導光板３１は、上述した第２の実施形態と同様に、少なくともその一側端部に表面３３に対して略垂直な側端面３２を有し、この側端面３２を入光面として使用するものであり、点状光源１６ａ、１６ｂは、基板１９上に実装されて、その前面である発光面１７ａ、１７ｂが導光板３１の入光面３２に対向するように配置されている。
【００２９】
一方、本実施形態における反射手段４１ａ、４１ｂは、前面４２ａ、４２ｂと、前面４２ａ、４２ｂに対して鋭角に傾斜する側面（以下、背面と称する）４３ａ、４３ｂと、前面４２ａ、４２ｂに対して略垂直な側面４４ａ、４４ｂ（以下、底面と称する）からなる三角プリズムとして構成されている。これらの三角プリズム４１ａ、４１ｂは、例えばアクリル樹脂、ポリカーボネート樹脂、あるいはホウ珪酸ガラス等の任意の適切な光学材料を成形してなるものであり、その背面４３ａ、４３ｂには、例えば銀等の金属蒸着膜や誘電体多層膜からなる反射膜が形成されている。
【００３０】
反射手段４１ａ、４１ｂは、その長さＬ２が少なくとも点状光源の長さＬ１以上となるように形成されており、前面４２ａ、４２ｂを導光板３１の入光面３２に対して平行に対向させ、底面４４ａ、４４ｂを点状光源１６ａ、１６ｂの頂面１８ａ、１８ｂにそれぞれ対向させて配置されている。これによって、反射手段４１ａ、４１ｂは、その背面４３ａ、４３ｂが入光面３２に対して鋭角に傾斜する反射面となり、導光板３１の表面３３側から点状光源１６ａ、１６ｂを覆う反射手段として機能する。その際、反射面である背面４３ａ、４３ｂと前面４２ａ、４２ｂとの傾斜角αは、上記第１の実施形態と同様の条件を満たすように形成されており、点状光源１６ａ、１６ｂの頂面１８ａ、１８ｂからの漏れ光を高効率に反射して、入光面３２に入射させることができる。
【００３１】
なお、本実施形態では、各点状光源１６ａ、１６ｂに対応してそれぞれ個別の反射手段４１ａ、４１ｂを設けるものとしたが、反射手段４１ａ、４１ｂを一体の三角プリズムとして形成してもよい。また、反射手段４１ａ、４１ｂは、導光板３１の入光面３２と一体に形成してなるものであってもよく、さらに、背面４３ａ、４３ｂに形成される反射面は、上述した第１及び第２の実施形態と同様に、シート状の反射部材を接着または粘着することによって形成するものであってもよい。
【００３２】
以上の実施形態では、本発明に係る反射手段はすべて導光板の表面側から点状光源を覆うものとしたが、本発明は、導光板の裏面側から点状光源を覆うものであってもよく、特に、導光板の表裏両側から点状光源を覆う場合を含むものである。次に、上記第３の実施形態で説明した三角プリズムを反射手段として使用する場合を例として、導光板の両方の主面側から点状光源を覆う場合の態様を説明する。
【００３３】
図４（ａ）及び図４（ｂ）は、本発明の第４の実施形態における面状照明装置を示す側面図である。図４（ａ）に示す面状照明装置５０は、導光板３１と、点状光源５１と、反射手段５５、５８とを含んで構成されている。導光板３１は、上述した第３の実施形態と同様に、少なくともその一側端部に表面３３に対して略垂直な側端面３２を有し、この側端面３２を入光面として使用するものである。一方、点状光源５１は、その頂面５２を発光面とする白色ＬＥＤからなり、好ましくはフレキシブルプリント基板（ＦＰＣ）である基板１９上に実装され、発光面５２を入光面３２に対向させて、導光板３１の厚み方向に対してほぼ中央に位置するように配置されている。
【００３４】
ここで、導光板３１の厚みｈ１は点状光源５１の厚みｈ２よりも大きく、上述した第３の実施形態と同様の三角プリズムにより構成される各反射手段５５、５８は、それぞれ導光板３１の表面３３側及び裏面３４側から点状光源５１を覆うように配置されている。この際、反射手段５５は、背面５７が導光板３１の表面３３側から入光面３２に対して鋭角に傾斜して反射面をなし、反射手段５８は、同様に、その背面６０が裏面３４側から入光面３２に対して鋭角に傾斜して反射面をなしている。
面状照明装置５０は、このような構成によって、点状光源５１の表面３３側の側面５３から漏出する漏れ光と、裏面３４側の側面５４から漏出する漏れ光の両方を高効率に反射して入光面３２に入射させるものである。
【００３５】
また、図４（ｂ）に示す面状照明装置７０は、導光板３１と、点状光源５１と、反射手段７１、７６とを含んで構成されており、導光板３１及び点状光源５１についての構成は、図４（ａ）に示す面状照明装置５０と同様のものである。反射手段７１、７６には、それぞれ背面７２、７７を反射面とする三角プリズム７３、７８が含まれており、面状照明装置５０と同様に、入光面３２に対して鋭角に傾斜する反射面７２、７６によって、点状光源５１を導光板３１の表面３３側及び裏面側３４からそれぞれ覆うものである。ただし、面状照明装置７０の反射手段７１、７６は、三角プリズム７３、７８をそれぞれ相補的な形状を有する部材７４、７９と固着することによって、断面四角形状の角柱として形成されており、これによって、例えば、反射手段７１、７６を底面７５、８０により基板１９上に実装することができる。
【００３６】
以上、すべての実施形態を通じて、本発明に係る反射手段が有する反射面は入光面に対して一定の傾斜角を有する平面として説明してきたが、この反射面を、傾斜角が連続的に変化する曲面、あるいは、段階的に角度が変わる断面多角形状の反射面としてもよい。また、すべての実施形態を通じて、導光板の入光面に配置される点状光源の個数を２個として説明してきたが、点状光源の個数は１個または３個以上であってもよいことは言うまでもない。
【実施例】
【００３７】
以下、本発明の実施例について説明する。図５（ａ）は、本発明の実施例における測定配置を概略的に示す側面図、図５（ｂ）は、比較例における同様の側面図である。測定は、導光板１０１を用い、その側端面にＬＥＤ１０２を配置して、その出射面Ｓ側を反射手段１０３によって覆い、図５（ｃ）の平面図に示すＡ１〜Ｃ３の９領域において出射面Ｓの輝度を測定することによって実施した。使用した導光板の外形は、横３２ｍｍ×縦３７ｍｍ×厚み０．８ｍｍである。また、ＬＥＤは、外形が高さ（導光板の厚み方向）０．６ｍｍ×幅（前後方向）０．４５ｍｍの前面を発光面とするパッケージのないタイプを使用し、反射手段としては、住友スリーエム社製ＥＳＲ反射フィルムを使用した。入光面と反射フィルムとの傾斜角αは、図５（ａ）に示す実施例の場合には６６度、図５（ｂ）に示す比較例の場合には９０度とした。
【００３８】
図５（ａ）に示す本発明の実施例の測定結果を表１に、図５（ｂ）に示す比較例の測定結果を表２に示す。
【００３９】
【表１】
2008047291.tif 000003
【００４０】
【表２】
2008047291.tif 000004
【００４１】
表２から、比較例においては、ＬＥＤの前部付近である領域Ｂ１における輝度（３１８３ｃｄ／ｍ2）が最大値を示しており、ホットスポットによる輝度ムラが発生していることが分かる。これに対して、表１に示す本発明の実施例の輝度分布では、領域Ｂ１における輝度（２２６５ｃｄ／ｍ2）のみが著しく減少して、他の領域の輝度はすべて増大しており、「最小値／最大値」で定義される輝度の均一性は、表２に示す比較例の５０％から７７％に向上している。すなわち、発明の実施例では、ホットスポットによる輝度ムラが顕著に改善されていることが分かる。さらに、表１に示す本発明の実施例の輝度分布では、輝度の平均値が、表２に示す比較例の１９３３ｃｄ／ｍ2から２００８ｃｄ／ｍ2に増大しており、全体の輝度が向上していることが分かる。
この結果によって、本発明によれば、面状照明装置の全体の輝度が向上すると共に、輝度の均一性が顕著に改善されることが確認された。
【図面の簡単な説明】
【００４２】
【図１】本発明の第１の実施形態における面状照明装置の要部を示す図であり、（ａ）は分解斜視図、（ｂ）は側断面図である。
【図２】本発明の第２の実施形態における面状照明装置の要部を示す図であり、（ａ）は分解斜視図、（ｂ）は側断面である。
【図３】本発明の第３の実施形態における面状照明装置の要部を示す図であり、（ａ）は分解斜視図、（ｂ）は側面図である。
【図４】本発明の第４の実施形態における面状照明装置の要部を示す側断面図であり、（ａ）はその一態様、（ｂ）は別の一態様を示す図である。
【図５】本発明の実施例における測定配置を概略的に示す図であり、（ａ）は本発明の実施例を示す側面図、（ｂ）は比較例を示す側面図、（ｃ）は、輝度の測定領域を示す平面図である。
【図６】従来の面状照明装置の要部を示す分解斜視図である。
【図７】図６に示す面状照明装置の光源部分を拡大して示す側断面図である。
【符号の説明】
【００４３】
１１，３１：導光板、３５：ハウジングフレーム、１６ａ，１６ｂ，５１：点状光源、２１，４１ａ，４１ｂ，５５，５８，７１，７６：反射手段
【図１】
2008047291.tif 000005
【図２】
2008047291.tif 000006
【図３】
2008047291.tif 000007
【図４】
2008047291.tif 000008
【図５】
2008047291.tif 000009
【図６】
2008047291.tif 000010
【図７】
2008047291.tif 000011